【手続補正書】
【提出日】平成20年2月13日(2008.2.13)
【手続補正１】
【補正対象書類名】明細書
【補正対象項目名】発明の名称
【補正方法】変更
【補正の内容】
【発明の名称】データ処理装置、データ処理方法、データ処理プログラム、および記録媒体
【手続補正２】
【補正対象書類名】明細書
【補正対象項目名】特許請求の範囲
【補正方法】変更
【補正の内容】
【特許請求の範囲】
【請求項１】  自身の使用に加えて他への貸し出しを可能とするだけの計算資源を持つ情報機器と、自身で使用されるのに足るだけの計算資源を持つ情報機器とが混在して接続される、範囲を限定されて構成されるネットワーク上で計算資源を有効に活用するようにしたデータ処理装置において、
範囲を限定されて構成されるネットワークに接続する接続手段と、
上記ネットワークに接続されたクライアント機器に対して計算資源を貸し出す計算資源貸し出し手段と、
上記クライアント機器の物理的状態を通知する状態通知手段と
を備え、
上記状態通知手段の通知に基づき、上記クライアント機器の物理的状態が該クライアント機器が上記ネットワークに接続されていない状態であるとされれば、該クライアント機器へのサービスを、上記計算資源貸し出し手段により該クライアント機器に上記貸し出された上記計算資源に対して提供するようにしたことを特徴とするデータ処理装置。
【請求項２】  請求項１に記載のデータ処理装置において、
上記物理的状態は、上記クライアント機器が上記ネットワークに接続されている第１の状態と、上記クライアント機器が上記ネットワークから一時的に切断されている第２の状態と、上記クライアント機器が上記ネットワークから完全に切断されている第３の状態とからなり、上記第２の状態のときに、該クライアント機器へのサービスを該クライアント機器に上記貸し出された上記計算資源に対して提供するようにしたことを特徴とするデータ処理装置。
【請求項３】  自身の使用に加えて他への貸し出しを可能とするだけの計算資源を持つ情報機器と、自身で使用されるのに足るだけの計算資源を持つ情報機器とが混在して接続される、範囲を限定されて構成されるネットワーク上で計算資源を有効に活用するようにしたデータ処理方法において、
範囲を限定されて構成されるネットワークに接続する接続のステップと、
上記ネットワークに接続されたクライアント機器に対して計算資源を貸し出す計算資源貸し出しのステップと、
上記クライアント機器の物理的状態を通知する状態通知のステップと
を備え、
上記状態通知のステップによる通知に基づき、上記クライアント機器の物理的状態が該クライアント機器が上記ネットワークに接続されていない状態であるとされれば、該クライアント機器へのサービスを、上記計算資源貸し出しのステップにより該クライアント機器に上記貸し出された上記計算資源に対して提供するようにしたことを特徴とするデータ処理方法。
【請求項４】  自身の使用に加えて他への貸し出しを可能とするだけの計算資源を持つ情報機器と、自身で使用されるのに足るだけの計算資源を持つ情報機器とが混在して接続される、範囲を限定されて構成されるネットワーク上で計算資源を有効に活用するようにしたデータ処理方法をコンピュータ装置に実行させるデータ処理プログラムにおいて、
範囲を限定されて構成されるネットワークに接続する接続のステップと、
上記ネットワークに接続されたクライアント機器に対して計算資源を貸し出す計算資源貸し出しのステップと、
上記クライアント機器の物理的状態を通知する状態通知のステップと
を備え、
上記状態通知のステップによる通知に基づき、上記クライアント機器の物理的状態が該クライアント機器が上記ネットワークに接続されていない状態であるとされれば、該クライアント機器へのサービスを、上記計算資源貸し出しのステップにより該クライアント機器に上記貸し出された上記計算資源に対して提供するようにしたデータ処理方法をコンピュータ装置に実行させることを特徴とするデータ処理プログラム。
【請求項５】  自身の使用に加えて他への貸し出しを可能とするだけの計算資源を持つ情報機器と、自身で使用されるのに足るだけの計算資源を持つ情報機器とが混在して接続される、範囲を限定されて構成されるネットワーク上で計算資源を有効に活用するようにしたデータ処理方法をコンピュータ装置に実行させるデータ処理プログラムが記録された記録媒体において、
範囲を限定されて構成されるネットワークに接続する接続のステップと、
上記ネットワークに接続されたクライアント機器に対して計算資源を貸し出す計算資源貸し出しのステップと、
上記クライアント機器の物理的状態を通知する状態通知のステップと
を備え、
上記状態通知のステップによる通知に基づき、上記クライアント機器の物理的状態が該クライアント機器が上記ネットワークに接続されていない状態であるとされれば、該クライアント機器へのサービスを、上記計算資源貸し出しのステップにより該クライアント機器に上記貸し出された上記計算資源に対して提供するようにしたデータ処理方法をコンピュータ装置に実行させるデータ処理プログラムが記録されたことを特徴とする記録媒体。
【請求項６】  自身の使用に加えて他への貸し出しを可能とするだけの計算資源を持つ情報機器と、自身で使用されるのに足るだけの計算資源を持つ情報機器とが混在して接続される、範囲を限定されて構成されるネットワーク上で計算資源を有効に活用するようにしたデータ処理装置において、
範囲を限定して構成されるネットワークを介して接続されたクライアント機器のアプリケーションを支援するシステム構成要素による第１のレイヤと、
上記ネットワーク全体の計算資源の管理を行うシステム構成要素による、上記第１のレイヤと互いに分離されて構成される第２のレイヤと
からなり、
上記第２のレイヤの制御に基づき上記クライアント機器に上記計算資源の貸し出しを行うようにしたことを特徴とするデータ処理装置。
【請求項７】  請求項６に記載のデータ処理装置において、
上記第１および第２のレイヤは、互いにデータ交換が可能とされたことを特徴とするデータ処理装置。
【請求項８】  請求項６に記載のデータ処理装置において、
上記ネットワークに対して外部の他のネットワークと上記クライアント機器との通信は、上記第１のレイヤを中継してなされ、該第１のレイヤにより、該通信の際に、上記クライアント機器の上記アプリケーションが必要とする通信プロトコルの処理が提供されることを特徴とするデータ処理装置。
【請求項９】  請求項８に記載のデータ処理装置において、
上記第１のレイヤは上記アプリケーション毎の上記通信プロトコルに共通なインターフェイスを持つプロトコルハンドラを介して上記通信プロトコルとやりとりを行うようにしたことを特徴とするデータ処理装置。
【請求項１０】  請求項６に記載のデータ処理装置において、
上記クライアント機器は、該クライアント機器による要求と物理的変化を報告する制御用アプリケーションと、一般的なアプリケーションとを有し、上記第１のレイヤは上記一般的なアプリケーションと通信を行い、上記第２のレイヤは上記制御用アプリケーションと通信を行うようにしたことを特徴とするデータ処理装置。
【請求項１１】  自身の使用に加えて他への貸し出しを可能とするだけの計算資源を持つ情報機器と、自身で使用されるのに足るだけの計算資源を持つ情報機器とが混在して接続される、範囲を限定されて構成されるネットワーク上で計算資源を有効に活用するようにしたデータ処理装置の機能をコンピュータ装置に実行させるデータ処理プログラムにおいて、
範囲を限定して構成されるネットワークを介して接続されたクライアント機器のアプリケーションを支援するシステム構成要素による第１のレイヤと、
上記ネットワーク全体の計算資源の管理を行うシステム構成要素による、上記第１のレイヤと互いに分離されて構成される第２のレイヤと
からなり、
上記第２のレイヤの制御に基づき上記クライアント機器に上記計算資源の貸し出しを行うようにしたデータ処理装置の機能を実行させることを特徴とするデータ処理プログラム。
【請求項１２】  自身の使用に加えて他への貸し出しを可能とするだけの計算資源を持つ情報機器と、自身で使用されるのに足るだけの計算資源を持つ情報機器とが混在して接続される、範囲を限定されて構成されるネットワーク上で計算資源を有効に活用するようにしたデータ処理装置の機能をコンピュータ装置に実行させるデータ処理プログラムが記録された記録媒体において、
範囲を限定して構成されるネットワークを介して接続されたクライアント機器のアプリケーションを支援するシステム構成要素による第１のレイヤと、
上記ネットワーク全体の計算資源の管理を行うシステム構成要素による、上記第１のレイヤと互いに分離されて構成される第２のレイヤと
からなり、
上記第２のレイヤの制御に基づき上記クライアント機器に上記計算資源の貸し出しを行うようにしたデータ処理装置の機能を実行させるデータ処理プログラムが記録されていることを特徴とする記録媒体。
【手続補正３】
【補正対象書類名】明細書
【補正対象項目名】０００１
【補正方法】変更
【補正の内容】
【０００１】
【発明の属する技術分野】
この発明は、特に家庭内で構築されるネットワークにおいて、ネットワークに接続された機器の計算資源を有効に利用できるようにしたデータ処理装置、データ処理方法、データ処理プログラム、および記録媒体に関する。
【手続補正４】
【補正対象書類名】明細書
【補正対象項目名】００１５
【補正方法】変更
【補正の内容】
【００１５】
この発明のさらに別の目的は、上述したようなデータ処理方法を実現するデータ処理プログラム、およびそのデータ処理プログラムが記録された記録媒体およびそのような記録媒体を備えたデータ処理装置を提供することにある。